(57)【特許請求の範囲】
【請求項１】
ガスコンロ本体の天面部を構成するトッププレートと、前記トッププレートに配置されるコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設された、前記コンロバーナの火力を調節する火力調節レバーとを備えたガスコンロであって、
前記トッププレートの前端が、前記前面パネルの上端より前方で、かつ、前記スリットよりも前方に位置するように構成されており、
前記火力調節レバーが、前記ガスコンロ本体の内部に配設されたガス量調節手段のガス量調節用駆動部と係合するレバー本体部を備え、
前記レバー本体部が、前記ガス量調節用駆動部から前方に延びる前方延出部と、前記前方延出部の前端から上方に延びる上方延出部と、前記上方延出部の上端から前方に延びて前記スリットを貫通する貫通部と、前記貫通部の前記スリットを貫通した部分から前記前面パネルに沿って下方に延びる垂下部と、前記垂下部の下端部に配設された、火力調節を行う際に使用者が手指でつまんで操作するつまみ部である把持部とを備えているとともに、
前記ガスコンロ本体の内部に、前記前方延出部の上端との間に、前記前方延出部が摺動可能な間隔をもって配設され、前記前方延出部と当接することによって、前記前方延出部の上方への移動を規制する上方移動規制部と、前記前方延出部の下端との間に、前記前方延出部が摺動可能な間隔をもって配設され、前記前方延出部と当接することによって、前記前方延出部の下方への移動を規制する下方移動規制部とを備えていること
を特徴とするガスコンロ。
【発明の詳細な説明】
【技術分野】
【０００１】
本発明は、ガスコンロに関し、詳しくは、火力調節を行う際に操作される火力調節レバーをガスコンロ本体の前面側に備えたガスコンロに関する。
【背景技術】
【０００２】
ガスコンロとして、近年、ガスコンロ本体の前面に、火力調節を行う際に操作される火力調節レバーをガスコンロ本体の前面に備えたガスコンロが広く市販されるに至っている。
【０００３】
このようなガスコンロの１つに、特許文献１に記載されているような、コンロ本体の天面部を構成するトッププレート上にコンロバーナを備え、ガスコンロ本体の前面を構成する前面パネルに、バーナの火力を調節するための火力調節レバー（火力調節用操作具）が配設された構造を有するガスコンロがある。
【０００４】
そして、この特許文献１のガスコンロにおいては、使用者がガスコンロの前面側から、火力調節レバー（火力調節用操作具）を操作することにより、コンロバーナの火力の調節が行われる。
【先行技術文献】
【特許文献】
【０００５】
【特許文献１】特開２０１１−２３１９３８号公報
【発明の概要】
【発明が解決しようとする課題】
【０００６】
しかしながら、特許文献１のような構成を備えた従来のガスコンロにおいて、例えば、意匠上の理由などによって、火力調節レバー（火力調節用操作具）が機器前面の上方に配置され、かつ、ガス弁ブロック（ガス量調節手段）の駆動部がコンロ本体の内側の下方に位置することにより、火力調節レバーの、上記駆動部までの距離が長く、かつ、曲折部を有しているような場合においては、使用者が火力調節レバーを手指にて操作する際に、火力調節レバーが撓んで操作しにくくなる場合があり、使い勝手がよくないという問題点がある。
【０００７】
本発明は、上記問題点を解決するものであり、例えば、意匠上の理由などによって、火力調節レバー（火力調節用操作具）が機器前面上方に配置され、ガス弁ブロックの駆動部がコンロ本体の内側の下方に位置することにより、火力調節レバーの、上記駆動部までの距離が長く、かつ、曲折部を有しているような場合においても、火力調節レバーの撓みによる火力調節の操作性の低下を抑制することが可能で、使い勝手のよいガスコンロを提供することを目的とする。
【課題を解決するための手段】
【０００８】
上記の目的を達成するために、本発明のガスコンロは、
ガスコンロ本体の天面部を構成するトッププレートと、前記トッププレートに配置されるコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設された、前記コンロバーナの火力を調節する火力調節レバーとを備えたガスコンロであって、
前記トッププレートの前端が、前記前面パネルの上端より前方で、かつ、前記スリットよりも前方に位置するように構成されており、
前記火力調節レバーが、前記ガスコンロ本体の内部に配設されたガス量調節手段のガス量調節用駆動部と係合するレバー本体部を備え、
前記レバー本体部が、前記ガス量調節用駆動部から前方に延びる前方延出部と、前記前方延出部の前端から上方に延びる上方延出部と、前記上方延出部の上端から前方に延びて前記スリットを貫通する貫通部と、前記貫通部の前記スリットを貫通した部分から前記前面パネルに沿って下方に延びる垂下部と、前記垂下部の下端部に配設された、火力調節を行う際に使用者が手指でつまんで操作するつまみ部である把持部とを備えているとともに、
前記ガスコンロ本体の内部に、前記前方延出部の上端との間に、前記前方延出部が摺動可能な間隔をもって配設され、前記前方延出部と当接することによって、前記前方延出部の上方への移動を規制する上方移動規制部と、前記前方延出部の下端との間に、前記前方延出部が摺動可能な間隔をもって配設され、前記前方延出部と当接することによって、前記前方延出部の下方への移動を規制する下方移動規制部とを備えていること
を特徴としている。
【発明の効果】
【０００９】
本発明のガスコンロは、上述のように、ガスコンロ本体の天面部を構成するトッププレートに配置されるコンロバーナと、ガスコンロ本体の前面に配置された前面パネルと、前面パネルを前後方向に貫通する横長のスリットと、該スリットを後方から前方に向かって貫通して配設され、コンロバーナの火力を調節する火力調節レバーとを備えたガスコンロにおいて、火力調節レバーが、ガスコンロ本体の内部のガス量調節手段のガス量調節用駆動部と係合するレバー本体部を備え、かつ、レバー本体部が、ガス量調節用駆動部から前方に延びる前方延出部と、前方延出部の前端から上方に延びる上方延出部と、上方延出部の上端から前方に延びてスリットを貫通する貫通部とを備えるとともに、ガスコンロ本体の内部に、前方延出部の上端との間に、前方延出部が摺動可能な間隔をもって配設され、前方延出部と当接することによって、前方延出部の上方への移動を規制する上方移動規制部と、前方延出部の下端との間に、前方延出部が摺動可能な間隔をもって配設され、前方延出部と当接することによって、前方延出部の下方への移動を規制する下方移動規制部とを備えており、かつ、レバー本体部は、前面パネルに沿って下方に延びる垂下部と、垂下部の下端部に配設された、火力調節を行う際に使用者が手指でつまんで操作するつまみ部である把持部とを備えているので、例えば、意匠上の理由などによって、火力調節レバー（火力調節用操作具）が機器前面上方に配置され、ガス量調節手段から火力調節レバーの操作部（操作つまみなど）までの距離が長く、かつ、曲折部を有しているような場合においても、火力調節レバーの撓みによる火力調節の操作性の低下を抑制することが可能になり、使い勝手のよいガスコンロを提供することができる。
【図面の簡単な説明】
【００１０】
【図１】本発明の一実施形態にかかるガスコンロの全体構成を示す斜視図である。
【図２】本発明の一実施形態にかかるガスコンロの要部構成を示す側断面図である。
【図３】本発明の一実施形態にかかるガスコンロの要部構成を示す拡大側断面図である。
【図４】本発明の一実施形態にかかるガスコンロの要部構成を示す正面図である。
【図５】本発明の一実施形態にかかるガスコンロの火力調節レバーの動作を説明する図である。
【図６】本発明の一実施形態にかかるガスコンロの火力調節レバーの動作を説明する図である。
【発明を実施するための形態】
【００１１】
以下、本発明の実施形態を示して、その特徴とするところをさらに詳しく説明する。
【００１２】
［実施形態］
この実施形態１にかかるガスコンロ１は、図１〜３に示すように、ガスコンロ本体１０の天面部を構成するトッププレート３０と、トッププレート３０に配置された、２つのコンロバーナ２１，２２を有するコンロ部２ａと、グリル２ｂとを備えたガステーブルコンロである。
【００１３】
また、このガスコンロ１において、ガスコンロ本体１０の前面を構成する前面パネル１１には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前面パネル１１には電池ケース４２が配設されている。
【００１４】
なお、前面パネル１１は、図２に示すように、下端側が上端側よりも前方に位置する態様で傾斜して配設されている。
【００１５】
そして、点消火ボタン４１を押し操作することにより、ガス弁ユニット（ガス量調節手段）６１の前方に備える弁体制御ロッド６３（図２）が後方に移動して、ガス弁ユニット（ガス量調節手段）６１の内部に備える開閉弁（図示せず）が開弁して、コンロバーナ２１，２２やグリルバーナ（図示せず）に供給される燃料ガスが通流する開弁状態に至るように構成されている。なお、この開弁状態は、ラッチ機構（図示せず）によって維持される。
【００１６】
また、弁体制御ロッド６３（図２）は、スプリング（図示せず）によって前方に付勢されており、開弁状態において、再び点消火ボタン４１（図１、図２）を押し操作すると、弁体制御ロッド６３が後方に移動してラッチ機構によるラッチが解除される。そして、その状態で点消火ボタン４１の押し操作を解除すると、弁体制御ロッド６３がスプリング（図示せず）の付勢力によって前方に移動して、ガス弁ユニット（ガス量調節手段）６１の内部に備える開閉弁（図示せず）が閉弁して、各コンロバーナへの燃料ガスの通流が遮断される閉弁状態に至る。なお、この閉弁状態は、スプリング（図示せず）の付勢力によって維持される。
【００１７】
また、ガスコンロ１は、ガスコンロ本体１０のコンロバーナ２１，２２の火力を調節する火力調節レバー５１，５２およびグリル２ｂを構成するグリルバーナ（図示せず）の火力を調節する火力調節レバー５３を備えている。
【００１８】
また、火力調節レバー５１，５２，５３は、前面パネル１１に設けられた、左右方向に長い横長のスリット１２（図３）を、後方（奥側）から前方（手前側）に向かって貫通するように配設されている。
【００１９】
次に、火力調節レバー５１，５２，５３の構成について説明する。
なお、火力調節レバー５１，５２，５３が、いずれも同様の構成を備えていることから、ここでは火力調節レバー５１を例にとってその構成を詳しく説明する。
【００２０】
火力調節レバー５１は、図２，３に示すように、ガスコンロ本体１０の内部に配設されたガス量調節手段６１のガス量調節用駆動部６２と係合するレバー本体部７１を備え、レバー本体部７１が、ガス量調節用駆動部６２から前方に延びる前方延出部７１ａと、前方延出部７１ａの前端から上方に延びる上方延出部７１ｂとを備えている。
【００２１】
また、火力調節レバー５１を構成するレバー本体部７１は、さらに、ガスコンロ本体１０の前面（前面パネル１１）のスリット１２を貫通する貫通部７１ｃ、前面パネル１１に沿って下方に延びる垂下部７１ｄと、垂下部７１ｄの下端部に配設された、火力調節を行う際に使用者が手指でつまんで操作するつまみ部である把持部７１ｅを備えている。
【００２２】
この実施形態のガスコンロ１は、図２に示すように、レバー本体部７１の、前方延出部７１ａの後端側は、各コンロバーナに供給される燃料ガスの通流量を制御するガス弁ユニット（ガス量調節手段）６１が備える、ガス量調節用駆動部６２に係合（接続）されており、火力調節レバー５１を操作することにより、火力調節レバー５１を構成するレバー本体部７１も動作し、火力調節が行われるように構成されている。
【００２３】
すなわち、火力調節レバー５１を操作して、レバー本体部７１を構成する前方延出部７１ａの後端部と係合するガス量調節用駆動部６２を水平面に沿って動作させることで、各コンロバーナに供給される燃料ガスの通流量が増減され、火力の調節が行われるように構成されている。
【００２４】
そして、この実施形態にかかるガスコンロ１は、火力調節レバー５１の前方延出部７１ａが上方へ移動すること、すなわち、図５に示すように、把持部７１ｅが押し込まれる（下方に押し下げられる）ように操作されることにより、上方延出部７１ｂが矢印Ａの方向に移動し、前方延出部７１ａが上方に移動することを規制するための上方移動規制部７２を備えている（図２、図４、図５）。なお、上方移動規制部７２は、ガスコンロ本体１０に固定されている。
この上方移動規制部７２は、把持部７１ｅが押し込まれるように操作されたときに、前方延出部７１ａがガス量調節用駆動部６２との係合箇所を中心として上方に揺動することも規制する。
【００２５】
図４は、この実施形態の火力調節レバー５１、火力調節レバー５１を構成するレバー本体部７１、ガス弁ユニット（ガス量調節手段）６１、ガス弁ユニット（ガス量調節手段）６１に設けたガス量調節用駆動部６２、上方移動規制部７２、および下方移動規制部７３を表示し、その他の記載を省略している。
【００２６】
上方移動規制部７２は、ステンレス鋼板により構成されており、上方移動規制部７２の下端縁にはヘミング加工が施され、前方延出部７１ａが上方移動規制部７２の下端縁と接触した場合にも、火力調節レバー５１を円滑に操作できるように（摺動性が向上するように）構成されている。
【００２７】
さらに、この実施形態１にかかるガスコンロ１は、火力調節レバー５１の前方延出部７１ａが下方へ移動すること、すなわち、図６に示すように、把持部７１ｅが引き出される（持ち上げられる）ように操作されることにより、上方延出部７１ｂが矢印Ｂの方向に移動し、前方延出部７１ａが下方に移動することを規制するための下方移動規制部７３を備えている（図２、図４、図６）。なお、下方移動規制部７３は、ガスコンロ本体１０に固定されている。
この下方移動規制部７３は、把持部７１ｅが引き出されるように操作されたときに、前方延出部７１ａがガス量調節用駆動部６２との係合箇所を中心として下方に揺動することも規制する。
【００２８】
また、下方移動規制部７３は、ステンレス鋼板により構成されており、下方移動規制部７３の上端縁にはヘミング加工が施され、前方延出部７１ａが下方移動規制部７３の上端縁と接触した場合にも、火力調節レバー５１を円滑に操作できるように（摺動性が向上するように）構成されている。
【００２９】
また、上方移動規制部７２および下方移動規制部７３は、ガスコンロ本体１０に固定されている。
【００３０】
上述のように、この実施形態１にかかるガスコンロ１は、ガスコンロ本体１０の内部に、前方延出部７１ａの上方への移動を規制する上方移動規制部７２を備えているので、例えば、意匠上の理由などによって、火力調節レバー（火力調節用操作具）１が、前面パネル１１の上方を貫通して、ガスコンロ本体１０の前面に引き出されていて、ガス弁ユニット（ガス量調節手段）６１から火力調節レバー（火力調節用操作具）５１を構成するレバー本体部７１の貫通部７１ｃや把持部７１ｅまでの距離が長く、かつ、曲折部を有しているような場合においても、火力調節レバー５１の撓みによる火力調節時の操作性の低下を抑制することが可能になる。
【００３１】
特に、火力調節レバー５１の把持部７１ｅが前方から後方（奥側に）に押し込まれるように操作された場合（すなわち、把持部７１ｅが奥側に押し込まれたり、下方に押し下げられたりするように操作された場合）に、前方延出部７１ａが上方に移動することを防止するのに顕著な効果が得られる（図５参照）。
また、上方移動規制部７２の下端縁にはヘミング加工が施されているため、火力調節レバー５１を円滑に操作することができる。
【００３２】
さらに、この実施形態１のガスコンロ１は、ガスコンロ本体１０の内部に、前方延出部７１ａの下方への移動を規制する下方移動規制部７３を備えているので、ガス弁ユニット（ガス量調節手段）６１から火力調節レバー（火力調節用操作具）５１を構成するレバー本体部７１の貫通部７１ｃや把持部７１ｅまでの距離が長く、かつ、曲折部を有しているような場合においても、火力調節レバー５１の撓みによる火力調節時の操作性の低下を抑制することが可能になる。
【００３３】
特に、火力調節レバー５１の把持部７１ｅが使用者によって前方に引き出されるように操作された（すなわち、把持部７１ｅが引き出されたり、上方に持ち上げられるように操作された場合）に、前方延出部７１ａが下方に移動することを防止するのに顕著な効果が得られる（図６参照）。
【００３４】
また、下方移動規制部７３の上端縁にはヘミング加工が施されているため、火力調節レバー５１を円滑に操作することができる。
【００３５】
なお、本発明のガスコンロ１においては、上方移動規制部７２の下端縁および下方移動規制部７３の上端縁を樹脂によって構成して、火力調節レバー５１が上方移動規制部７２の下端縁、あるいは、下方移動規制部７３の上端縁と接触したときの、火力調節レバー５１の操作性をさらに向上させるように構成することも可能である。
【００３６】
本発明は、さらにその他の点においても上記実施形態に限定されるものではなく、発明の範囲内において種々の応用、変形を加えることが可能である。
【符号の説明】
【００３７】
１          ガスコンロ
２ａ        コンロ部
２ｂ        グリル
１０        ガスコンロ本体
１１        前面パネル
１２        スリット
２１，２２  コンロバーナ
３０        トッププレート
４１（４１ａ，４１ｂ，４１ｃ）    点消火ボタン
４２        電池ケース
５１，５２，５３      火力調節レバー
６１        ガス弁ユニット
６２        ガス弁ユニットに設けたガス量調節用駆動部
６３        弁体制御ロッド
７１        火力調節レバーを構成するレバー本体部
７１ａ      前方延出部
７１ｂ      上方延出部
７１ｃ      貫通部
７１ｄ      垂下部
７１ｅ      把持部
７２        上方移動規制部
７３        下方移動規制部
【図１】
0006646956.tif 000002
【図２】
0006646956.tif 000003
【図３】
0006646956.tif 000004
【図４】
0006646956.tif 000005
【図５】
0006646956.tif 000006
【図６】
0006646956.tif 000007